(57)【要約】      （修正有）【課題】さらなる小型化、とくに薄型化が可能な画像読取装置を提供する。【解決手段】主走査方向に延びる線状の出射部２１１から読み取り対象物Dに向けて照明光を出射する光源ユニット２００と、主走査方向に並べられた複数の受光部４１０を有する受光手段４００と、受光手段４００および電子部品５００を搭載する基板６００と、読み取り対象物Ｄからの反射光を受光手段４００に結像させるレンズユニット３００と、光源ユニット２００、受光手段４００、およびレンズユニット３００を収容するケース１００とを備える。ケース１００は主走査方向に延びる繊維を包含する繊維強化樹脂により形成され、レンズユニット３００を収容するレンズユニット収容部１８２を備えている。レンズユニット３００は、ケース１００の外面に貫通する切欠き部１２１に付された接着剤１２５により、レンズユニット収容部１８２に固定されている。【選択図】図６
2017108297.tif 000002
【特許請求の範囲】
【請求項１】
主走査方向に延びる線状の出射部から読み取り対象物に向けて照明光を出射する光源ユニットと、
主走査方向に並べられた複数の受光部を有する受光手段と、
前記受光手段および電子部品を搭載する基板と、
前記読み取り対象物からの反射光を前記受光手段に集光して前記読み取り対象物の像を前記受光手段に結像させるレンズユニットと、
前記光源ユニット、前記受光手段、および前記レンズユニットを収容するケースと、を備えた画像読取装置において、
前記ケースは、主走査方向端部に成形用ゲート痕を有するとともに主走査方向に延びる繊維を包含する繊維強化樹脂により形成されており、
前記ケースはまた、前記レンズユニットを収容するレンズユニット収容部を備えており、
前記レンズユニットは、前記レンズユニット収容部の内壁から前記ケースの外面に貫通するとともに上方に開放する切欠き部に付された接着剤により、前記レンズユニット収容部に固定されていることを特徴とする、画像読取装置。
【請求項２】
前記ケースは、副走査方向一方側において主走査方向に延びる第１側壁と、副走査方向他方側において主走査方向に延びる第２側壁と、前記第１側壁と前記第２側壁との間において主走査方向に延びる中間壁と、前記第１側壁と前記中間壁とをつなぐ第１隔壁と、前記中間壁と前記第２側壁とをつなぐ第２隔壁と、を含み、前記レンズユニット収容部は、当該ケースの横断面において、前記中間壁と、前記第２側壁と、前記第２隔壁とによって規定されている、請求項１に記載の画像読取装置。
【請求項３】
前記第２隔壁には、これを貫通して、前記レンズユニットが前記受光手段に前記読み取り対象物の像を結像させるためのスリットが形成されている、請求項２に記載の画像読取装置。
【請求項４】
前記切欠き部は、前記第２側壁に形成されている、請求項２または３に記載の画像読取装置。
【請求項５】
前記切欠き部は、主走査方向において、複数箇所形成されている、請求項４に記載の画像読取装置。
【請求項６】
前記レンズユニットは、共役長が４〜８ｍｍのセルフォックレンズである、請求項１ないし５のいずれかに記載の画像読取装置。
【請求項７】
前記切欠き部に付される接着剤は、少なくとも前記切欠きの底部と前記レンズユニットの側面とに接し、かつ、前記レンズユニットの高さの３０％以下の範囲において前記レンズユニットの側面に接している、請求項６に記載の画像読取装置。
【請求項８】
前記基板は、前記ケースの下部を塞ぐようにして当該ケースに装着されており、前記第１隔壁は、前記基板に近接もしくは接触させられている、請求項２ないし７のいずれかに記載の画像読取装置。
【請求項９】
前記第１隔壁には、その厚み方向に貫通する貫通孔が形成されており、前記基板に搭載されている前記電子部品の少なくとも一部は、前記貫通孔内に位置させられている、請求項８に記載の画像読取装置。
【請求項１０】
前記貫通孔は、主走査方向において、複数箇所形成されている、請求項９に記載の画像読取装置。
【請求項１１】
前記光源ユニットは、前記ケースの横断面において前記第１側壁と、前記第１隔壁と、前記中間壁とによって規定される光源ユニット収容部に収容されている、請求項９または１０に記載の画像読取装置。
【請求項１２】
前記光源ユニットは、主走査方向に延びる導光部材と、前記出射部を露出させつつ当該導光部材を取り囲む不透明な反射部材と、を含んでおり、前記貫通孔は、前記反射部材によって塞がれている、請求項１１に記載の画像読取装置。
【請求項１３】
前記ケースは、その主走査方向一方側において前記第１側壁、前記第１隔壁、前記中間壁、前記第２隔壁および前記第２側壁に接続される第１端部壁と、その主走査方向他方側において前記第１側壁、前記第１隔壁、前記中間壁、前記第２隔壁および前記第２側壁に接続される第２端部壁と、を備える、請求項１１または１２に記載の画像読取装置。
【請求項１４】
前記第１端部壁または前記第２端部壁には、これを厚み方向に貫通して、前記光源ユニットの長手方向一端部を前記ケースの外部に臨ませる開口部が形成されている、請求項１３に記載の画像読取装置。
【請求項１５】
前記光源ユニットは、前記導光部材の一端部に光を入射させる光源モジュールをさらに備えており、前記開口部内には、前記光源モジュールが位置させられている、請求項１４に記載の画像読取装置。
【請求項１６】
主走査方向に延びる線状の出射部から読み取り対象物に向けて照明光を出射する光源ユニットと、
主走査方向に並べられた複数の受光部を有する受光手段と、
前記受光手段および電子部品を搭載する基板と、
前記読み取り対象物からの反射光を前記受光手段に集光して前記読み取り対象物の像を前記受光手段に結像させるレンズユニットと、
前記光源ユニット、前記受光手段、および前記レンズユニットを収容するケースと、を備えた画像読取装置において、
前記ケースは、主走査方向端部に成形用ゲート痕を有するとともに主走査方向に延びる繊維を包含する繊維強化樹脂により形成されており、
前記ケースはまた、前記光源ユニットを収容する光源ユニット収容部を備えており、前記光源ユニットは、その長手方向一端部が前記ケースの外部に臨ませられていることを特徴とする、画像読取装置。
【請求項１７】
前記ケースは、副走査方向一方側において主走査方向に延びる第１側壁と、副走査方向他方側において主走査方向に延びる第２側壁と、前記第１側壁と前記第２側壁との間において主走査方向に延びる中間壁と、前記第１側壁と前記中間壁とをつなぐ第１隔壁と、前記中間壁と前記第２側壁とをつなぐ第２隔壁と、を含み、前記光源ユニット収容部は、当該ケースの横断面において、前記第１側壁と、前記第１隔壁と、前記中間壁とによって規定されている、請求項１８に記載の画像読取装置。
【請求項１８】
前記ケースは、その主走査方向一方側において前記第１側壁、前記第１隔壁、前記中間壁、前記第２隔壁および前記第２側壁に接続される第１端部壁と、その主走査方向他方側において前記第１側壁、前記第１隔壁、前記中間壁、前記第２隔壁および前記第２側壁に接続される第２端部壁と、を備える、請求項１６または１７に記載の画像読取装置。
【請求項１９】
前記第１端部壁または前記第２端部壁には、これを厚み方向に貫通して、前記光源ユニットの長手方向一端部を前記ケースの外部に臨ませる開口部が形成されている、請求項１８に記載の画像読取装置。
【請求項２０】
前記光源ユニットは、前記導光部材の一端部に光を入射させる光源モジュールを備えており、前記開口部内には、前記光源モジュールが位置させられている、請求項１９に記載の画像読取装置。
【請求項２１】
主走査方向に延びる線状の出射部から読み取り対象物に向けて照明光を出射する光源ユニットと、
主走査方向に並べられた複数の受光部を有する受光手段と、
前記受光手段および電子部品を搭載する基板と、
前記読み取り対象物からの反射光を前記受光手段に集光して前記読み取り対象物の像を前記受光手段に結像させるレンズユニットと、
前記光源ユニット、前記受光手段、および前記レンズユニットを収容するケースと、を備えた画像読取装置において、
前記ケースは、主走査方向端部に成形用ゲート痕を有するとともに主走査方向に延びる繊維を包含する繊維強化樹脂により形成されており、
前記ケースは、前記光源ユニットを収容する光源ユニット収容部を備えており、
前記ケースは、副走査方向一方側において主走査方向に延びる第１側壁と、副走査方向他方側において主走査方向に延びる第２側壁と、前記第１側壁と前記第２側壁との間において主走査方向に延びる中間壁と、前記第１側壁と前記中間壁とをつなぐ第１隔壁と、前記中間壁と前記第２側壁とをつなぐ第２隔壁と、を含み、光源ユニット収容部は、前記ケースの横断面において、前記第１側壁と、前記第１隔壁と、前記中間壁とによって規定されており、
前記基板は、前記ケースの下部を塞ぐようにして当該ケースに装着されており、前記第１隔壁は、前記基板に近接もしくは接触させられていることを特徴とする、画像読取装置。
【請求項２２】
前記第１隔壁には、その厚み方向に貫通する貫通孔が形成されており、前記基板に搭載されている前記電子部品の少なくとも一部は、前記貫通孔内に位置させられている、請求項２１に記載の画像読取装置。
【請求項２３】
前記貫通孔は、主走査方向において、複数箇所形成されている、請求項２２に記載の画像読取装置。
【請求項２４】
前記ケースの厚み方向の寸法は、５．８〜７．４ｍｍである、請求項１ないし２３のいずれかに記載の画像読取装置。
【請求項２５】
前記ケースの主走査方向の寸法は、１２３〜１２６ｍｍである、請求項１ないし２４のいずれかに記載の画像読取装置。
【請求項２６】
前記ケースの副走査方向の寸法は、８〜１０ｍｍである、請求項１ないし２５のいずれかに記載の画像読取装置。
【発明の詳細な説明】
【技術分野】
【０００１】
本発明は、画像読取装置に関する。
【背景技術】
【０００２】
たとえばファクシミリ、複写機、スキャナ装置には、原稿を読み取るための画像読取装置が組み込まれている。このような画像読取装置の構成は、たとえば特許文献１に示されている。
【０００３】
特許文献１に示されたタイプの画像読取装置は、ケースと、線状光源と、レンズアレイと、基板と、基板上に搭載された電子部品および受光素子とを基本的に備えている。ケースは、主走査方向に延びる長手ボックス状をしている。線状光源およびレンズアレイは、ケースの内部に配置されている。基板は、電子部品および受光素子が搭載された面を内側にして、ケースに装着されている。
【０００４】
線状光源は、主走査方向に延びるライン状の読み取り領域を照明する。レンズアレイは、読み取り領域にあるライン状の画像を受光素子上に正立等倍に結像させる。受光素子は、基板上に搭載された電子部品と協働して、当該受光素子上に結像された画像を電気信号に変換して出力する。ケースはまた、その外形が画像読取装置の３次元的な大きさを規定する。
【０００５】
この種の画像読取装置が組み込まれるファクシミリ、複写機、スキャナ装置等の機器は、ますますその小型化、特に薄型化が求められている。このような薄型化に適応するためには、画像読取装置もまた、さらなる小型化、特に薄型化が求められる。特に原稿の搬送パスを単純化したままその両面の画像読み取りを行うためには、原稿搬送パスを挟んで２つの画像読取装置を対向配置する必要がある。このような場合にも機器の薄型化を達成するためには、ますます、画像読取装置の薄型化が求められる。
【先行技術文献】
【特許文献】
【０００６】
【特許文献１】特開２０１２−１５６８２７号公報
【発明の概要】
【発明が解決しようとする課題】
【０００７】
本発明は、上記した事情のもとで考え出されたものであって、さらなる小型化、とくに薄型化が可能な画像読取装置を提供することをその課題とする。
【課題を解決するための手段】
【０００８】
本発明の第１の側面によって提供される画像読取装置は、主走査方向に延びる線状の出射部から読み取り対象物に向けて照明光を出射する光源ユニットと、主走査方向に並べられた複数の受光部を有する受光手段と、前記受光手段および電子部品を搭載する基板と、
前記読み取り対象物からの反射光を前記受光手段に集光して前記読み取り対象物の像を前記受光手段に結像させるレンズユニットと、前記光源ユニット、前記受光手段、および前記レンズユニットを収容するケースと、を備えた画像読取装置において、前記ケースは、主走査方向端部に成形用ゲート痕を有するとともに主走査方向に延びる繊維を包含する繊維強化樹脂により形成されており、前記ケースはまた、前記レンズユニットを収容するレンズユニット収容部を備えており、前記レンズユニットは、前記レンズユニット収容部の内壁から前記ケースの外面に貫通するとともに上方に開放する切欠き部に付された接着剤により、前記レンズユニット収容部に固定されていることを特徴とする。
【０００９】
好ましい実施の形態では、前記ケースは、副走査方向一方側において主走査方向に延びる第１側壁と、副走査方向他方側において主走査方向に延びる第２側壁と、前記第１側壁と前記第２側壁との間において主走査方向に延びる中間壁と、前記第１側壁と前記中間壁とをつなぐ第１隔壁と、前記中間壁と前記第２側壁とをつなぐ第２隔壁と、を含み、前記レンズユニット収容部は、当該ケースの横断面において、前記中間壁と、前記第２側壁と、前記第２隔壁とによって規定されている。
【００１０】
好ましい実施の形態では、前記第２隔壁には、これを貫通して、前記レンズユニットが前記受光手段に前記読み取り対象物の像を結像させるためのスリットが形成されている。
【００１１】
好ましい実施の形態では、前記切欠き部は、前記第２側壁に形成されている。
【００１２】
好ましい実施の形態では、前記切欠き部は、主走査方向において、複数箇所形成されている。
【００１３】
好ましい実施の形態では、前記レンズユニットは、共役長が４〜８ｍｍのセルフォックレンズである。
【００１４】
好ましい実施の形態では、前記切欠き部に付される接着剤は、少なくとも前記切欠きの底部と前記レンズユニットの側面とに接し、かつ、前記レンズユニットの高さの３０％以下の範囲において前記レンズユニットの側面に接している。
【００１５】
好ましい実施の形態では、前記基板は、前記ケースの下部を塞ぐようにして当該ケースに装着されており、前記第１隔壁は、前記基板に近接もしくは接触させられている。
【００１６】
好ましい実施の形態では、前記第１隔壁には、その厚み方向に貫通する貫通孔が形成されており、前記基板に搭載されている前記電子部品の少なくとも一部は、前記貫通孔内に位置させられている。
【００１７】
好ましい実施の形態では、前記貫通孔は、主走査方向において、複数箇所形成されている。
【００１８】
好ましい実施の形態では、前記光源ユニットは、前記ケースの横断面において前記第１側壁と、前記第１隔壁と、前記中間壁とによって規定される光源ユニット収容部に収容されている。
【００１９】
好ましい実施の形態では、前記光源ユニットは、主走査方向に延びる導光部材と、前記出射部を露出させつつ当該導光部材を取り囲む不透明な反射部材と、を含んでおり、前記貫通孔は、前記反射部材によって塞がれている。
【００２０】
好ましい実施の形態では、前記ケースは、その主走査方向一方側において前記第１側壁、前記第１隔壁、前記中間壁、前記第２隔壁および前記第２側壁に接続される第１端部壁と、その主走査方向他方側において前記第１側壁、前記第１隔壁、前記中間壁、前記第２隔壁および前記第２側壁に接続される第２端部壁と、を備える。
【００２１】
好ましい実施の形態では、前記第１端部壁または前記第２端部壁には、これを厚み方向に貫通して、前記光源ユニットの長手方向一端部を前記ケースの外部に臨ませる開口部が形成されている。
【００２２】
好ましい実施の形態では、前記光源ユニットは、前記導光部材の一端部に光を入射させる光源モジュールをさらに備えており、前記開口部内には、前記光源モジュールが位置させられている。
【００２３】
本発明の第２の側面によって提供される画像読取装置は、主走査方向に延びる線状の出射部から読み取り対象物に向けて照明光を出射する光源ユニットと、主走査方向に並べられた複数の受光部を有する受光手段と、前記受光手段および電子部品を搭載する基板と、前記読み取り対象物からの反射光を前記受光手段に集光して前記読み取り対象物の像を前記受光手段に結像させるレンズユニットと、前記光源ユニット、前記受光手段、および前記レンズユニットを収容するケースと、を備えた画像読取装置において、前記ケースは、主走査方向端部に成形用ゲート痕を有するとともに主走査方向に延びる繊維を包含する繊維強化樹脂により形成されており、前記ケースはまた、前記光源ユニットを収容する光源ユニット収容部を備えており、前記光源ユニットは、その長手方向一端部が前記ケースの外部に臨ませられていることを特徴とする。
【００２４】
好ましい実施の形態では、前記ケースは、副走査方向一方側において主走査方向に延びる第１側壁と、副走査方向他方側において主走査方向に延びる第２側壁と、前記第１側壁と前記第２側壁との間において主走査方向に延びる中間壁と、前記第１側壁と前記中間壁とをつなぐ第１隔壁と、前記中間壁と前記第２側壁とをつなぐ第２隔壁と、を含み、前記光源ユニット収容部は、当該ケースの横断面において、前記第１側壁と、前記第１隔壁と、前記中間壁とによって規定されている。
【００２５】
好ましい実施の形態では、前記ケースは、その主走査方向一方側において前記第１側壁、前記第１隔壁、前記中間壁、前記第２隔壁および前記第２側壁に接続される第１端部壁と、その主走査方向他方側において前記第１側壁、前記第１隔壁、前記中間壁、前記第２隔壁および前記第２側壁に接続される第２端部壁と、を備える。
【００２６】
好ましい実施の形態では、前記第１端部壁または前記第２端部壁には、これを厚み方向に貫通して、前記光源ユニットの長手方向一端部を前記ケースの外部に臨ませる開口部が形成されている。
【００２７】
好ましい実施の形態では、前記光源ユニットは、前記導光部材の一端部に光を入射させる光源モジュールを備えており、前記開口部内には、前記光源モジュールが位置させられている。
【００２８】
本発明の第３の側面によって提供される画像読取装置は、主走査方向に延びる線状の出射部から読み取り対象物に向けて照明光を出射する光源ユニットと、主走査方向に並べられた複数の受光部を有する受光手段と、前記受光手段および電子部品を搭載する基板と、前記読み取り対象物からの反射光を前記受光手段に集光して前記読み取り対象物の像を前記受光手段に結像させるレンズユニットと、前記光源ユニット、前記受光手段、および前記レンズユニットを収容するケースと、を備えた画像読取装置において、前記ケースは、主走査方向端部に成形用ゲート痕を有するとともに主走査方向に延びる繊維を包含する繊維強化樹脂により形成されており、前記ケースは、前記光源ユニットを収容する光源ユニット収容部を備えており、前記ケースは、副走査方向一方側において主走査方向に延びる第１側壁と、副走査方向他方側において主走査方向に延びる第２側壁と、前記第１側壁と前記第２側壁との間において主走査方向に延びる中間壁と、前記第１側壁と前記中間壁とをつなぐ第１隔壁と、前記中間壁と前記第２側壁とをつなぐ第２隔壁と、を含み、光源ユニット収容部は、前記ケースの横断面において、前記第１側壁と、前記第１隔壁と、前記中間壁とによって規定されており、前記基板は、前記ケースの下部を塞ぐようにして当該ケースに装着されており、前記第１隔壁は、前記基板に近接もしくは接触させられていることを特徴とする。
【００２９】
好ましい実施の形態では、前記第１隔壁には、その厚み方向に貫通する貫通孔が形成されており、前記基板に搭載されている前記電子部品の少なくとも一部は、前記貫通孔内に位置させられている。
【００３０】
好ましい実施の形態では、前記貫通孔は、主走査方向において、複数箇所形成されている。
【００３１】
前記本発明の各側面に係る画像読取装置において、好ましい実施の形態では、前記ケースの厚み方向の寸法は、５．８〜７．４ｍｍ程度であり、前記ケースの主走査方向の寸法は、１２３〜１２６ｍｍ程度であり、前記ケースの副走査方向の寸法は、８〜１０ｍｍ程度である。
【発明の効果】
【００３２】
本発明の第１の側面に係る画像読取装置によれば、レンズユニットは、レンズユニット収容部の内壁からケースの外面に貫通する貫通部に充填された接着剤により、レンズユニット収容部に固定されているので、レンズユニット収容部の内壁とケースの外面との間の壁の厚みを小さくすることができる。これにより、ケースの副走査方向の寸法を短縮して、画像読取装置の小型化を図ることができる。
【００３３】
本発明の第２の側面に係る画像読取装置によれば、光源ユニット収容部に収容された光源ユニットの長手方向一端部が前記ケースの外部に臨ませられているので、ケースの主走査方向の寸法を短縮して、画像読取装置の小型化を図ることができる。
【００３４】
本発明の第３の側面に係る画像読取装置によれば、光源ユニット収容部の下部を規定する第１隔壁が基板に近接もしくは接触させられているので、ケースの上下方向の寸法を短縮して、画像読取装置の小型化を図ることができる。
【００３５】
さらに、第１〜第３の側面に係る画像読取装置に共通して、ケースは、概ね主走査方向に延びて存在する繊維を包含する繊維強化樹脂により形成されているので、とくに厚み方向（ｚ方向）の寸法が短縮されたとしても、十分な曲げ剛性を有することになり、このことも画像読取装置の小型化に大きく寄与する。
【００３６】
本発明のその他の特徴および利点は、添付図面を参照して以下に行う詳細な説明によって、より明らかとなろう。
【図面の簡単な説明】
【００３７】
【図１】本発明の一実施形態に係る画像読取装置の平面図である。
【図２】図１のII-II線に沿う断面図である。
【図３】図１に示した画像読取装置の正面図である。
【図４】図２のIV-IV線矢視図である。
【図５】ケースの内部組織を示す模式図である。
【図６】図１のVI-VI線に沿う拡大断面図である。
【図７】図１のVII-VII線に沿う拡大断面図である。
【発明を実施するための形態】
【００３８】
以下、本発明の好ましい実施の形態につき、図面を参照して具体的に説明する。
【００３９】
図１〜図７は、本発明の一実施形態に係る画像読取装置１０を示す。この画像読取装置１０は、ケース１００と、光源ユニット２００と、レンズユニット３００と、受光手段４００と、電子部品５００と、基板６００とを有する。
【００４０】
ケース１００は、主走査方向（ｘ方向）に所定長さを有し、副走査方向（ｙ方向）に所定幅を有し、上下方向（ｚ方向）に所定高さを有する上方が開放した長矩形ボックス状をしており、たとえば黒色樹脂製であるが、ケース１００の材質については、さらに後述する。このケース１００は、副走査方向一方側において、主走査方向に延びる第１側壁１１０と、副走査方向他方側において、主走査方向に延びる第２側壁１２０と、副走査方向中間のやや第２側壁１２０寄りにおいて主走査方向に延びる中間壁１３０と、第１側壁１１０と中間壁１３０とをつなぎ、主走査方向に延びる第１隔壁１４０と、中間壁１３０と第２側壁１２０とをつなぎ、主走査方向に延びる第２隔壁１５０とを有する。第１側壁１１０および第２側壁１２０は、下端位置が一致し、同一高さ寸法を有する起立壁となっている。中間壁１３０は、第１側壁１１０および第２側壁１２０よりも小の高さ寸法を有し、その下端は、第１側壁１１０および第２側壁１２０の下端よりも上位に位置する。第１隔壁１４０は、中間壁１３０の下端と一致する底面１４１を有し、水平状である。第２隔壁１５０は、中間壁１３０の下端よりも上位に位置している。
【００４１】
ケース１００はまた、主走査方向一方側において第１側壁１１０、第２側壁１２０、中間壁１３０、第１隔壁１４０および第２隔壁１５０に接続される第１端部壁１６０と、主走査方向他方側において第１側壁１１０、第２側壁１２０、中間壁１３０、第１隔壁１４０および第２隔壁１５０に接続される第２端部壁１７０とを有する。第１端部壁１６０および第２端部壁１７０は、第１側壁１１０および第２側壁１２０の下端および上端と一致する下端および上端を有し、副走査方向に延びる起立壁となっている。
【００４２】
ケース１００における第１側壁１１０、第１隔壁１４０、中間壁１３０および第１端部壁１６０で囲まれる空間が、光源ユニット２００を収容するための上に開放した凹溝状の光源ユニット収容部１８１を規定している。本実施形態では、第２端部壁１７０に開口部１７１を形成することにより、光源ユニット収容部１８１が第２端部壁１７０において外部に開放されているが、これについては後述する。また、本実施形態では、第１隔壁１４０には厚み方向に貫通する貫通部１４２が、たとえば複数箇所形成されているが、これについても後述する。
【００４３】
ケース１００における中間壁１３０、第２隔壁１５０、第２側壁１２０、第１端部壁１６０および第２端部壁１７０で囲まれる空間が、レンズユニット３００を収容するための上に開放した凹溝状のレンズユニット収容部１８２を規定している。第２隔壁１５０には、レンズユニット３００が受光手段４００に読み取り対象物の像を結像するための光路を確保するスリット１５１が形成されている。
【００４４】
ケース１００は、樹脂成形により得ることができるが、本実施形態では、繊維強化樹脂による成形品としている。成形材料に含まれる繊維としては、繊維径5μｍ、繊維長100〜2000μｍのガラス繊維、炭素繊維などから選ばれ、最も好ましくは、ガラス繊維が用いられる。また、これらの繊維を内包する樹脂としては、ポリカーボネイト（ＰＣ）やＡＢＳ樹脂などが選ばれる。ケース１００の成形にあたっては、ゲートをケース１００の長手方向の端部に設定し、繊維を内包する樹脂が金型内を主走査方向に流れるようにすることにより、図５に示すように、樹脂中の繊維１９０が概ねケース１００の主走査方向に延びて存在するようになされる。このようにして成形されたケース１００は、とくに厚み方向（ｚ方向）の寸法が短縮されながら、十分な曲げ剛性を有することになる。図１〜４において、符号１１２は、ケース１００の長手方向端部に表れたゲート痕を示す。
【００４５】
光源ユニット２００は、主走査方向に延びる線状の出射部２１１から読み取り対象物（原稿）Ｄに向けて照明光を出射するためのものであり、主走査方向に延びる導光部材２１０と、この導光部材２１０の長手方向一端に接続され、この導光部材２１０の一端にＬＥＤなどの発光体が発する光を入射させる光源モジュール２２０と、導光部材２１０を出射部２１１を露出させつつその全長にわたって取り囲む反射部材２３０と、を含む。
【００４６】
導光部材２１０は、たとえばアクリルなどの透明樹脂製である。この導光部材２１０の出射部２１１は、円筒外面状となっており、レンズ効果によって照明光を効率良く読み取り対象物Ｄに向けて出射できるようになっている。導光部材２１０の出射部２１１と反対側は、横断面において弦状に延びる平坦部２１２となっており、好ましくは、この平坦部２１２に、主走査方向に間隔をあけて形成された複数の凹部または凸部（図示略）が設けられる。
【００４７】
反射部材２３０は、たとえばは白色不透明の樹脂製である。図４および図５に示すように、この反射部材２３０は、円筒外面状の出射部２１１を残して導光部材２１０の外面を取り囲むように形成されている。この反射部材２３０にはまた、光源ユニット２００を光源ユニット収容部１８１にぴったりと嵌め込んで収容できるように、第１側壁１１０の内面１１１に接する垂直接触外面２３１と、第１隔壁１４０の上面２３２に接する水平接触外面２３２とが形成されている。光源ユニット２００は、上記のようにして光源ユニット収容部１８１に収容された状態で、たとえば接着により固定される。
【００４８】
上記した構成を有する光源ユニット２００においては、光源モジュール２２０から導光部材２１０の端面に光が入射されると、この光は、その多くが導光部材２１０の内部をその長手方向に進み、平坦部２１２で反射させられて出射部２１１から出射させられる。平坦部２１２での反射は、これに設けられた凹部または凸部により、効率よく行われる。導光部材２１０の外面から漏れ出た光はまた、反射部材２３０で反射して導光部材２１０の内部に戻され、出射部２１１からの出射光量アップに寄与する。こうして、線状に延びる出射部２１１から、読み取り対象物Ｄにおける主走査方向に延びる読み取り領域に対して効率的な照明が行われる。
【００４９】
レンズユニット３００は、読み取り対象物Ｄで反射した光を受けて受光手段４００に集光し、読み取り対象物Ｄの像を正立等倍に受光手段４００に結像されるためのものであり、たとえば、複数のロッドレンズ３０２をレンズケース３０１内に整列保持させたセルフォックレンズアレイである。このレンズユニット３００は、上記した凹溝状のレンズユニット収容部１８２にぴったりと嵌まり込むようにして収容保持される。このレンズユニット３００は、後記するように、ケース１００の厚み方向の寸法の短縮に寄与するため、共役長ＴＣがたとえば４〜８ｍｍ程度と短縮されたものが用いられ、実施形態におけるレンズユニット３００は、共役長ＴＣを６ｍｍに設定しつつ、曲げ剛性が高められたものが用いられている。具体的には、レンズケース３０１は、ポリカーボネートやＡＢＳまたはこれらの合成樹脂などの樹脂中にガラス繊維や炭素繊維による織り構造物を複数層内包させた、繊維強化構造をもったものが用いられ、これにより、曲げ剛性が高められている。
【００５０】
レンズユニット３００のレンズユニット収容部１８２への固定は、第２側壁１２０にその厚み方向に貫通するとともに上方に開放した切欠き部１２１に接着剤１２５を塗布または付着させることにより行われる。本実施形態では、この切欠き部１２１は、第２側壁１２０をその上端から矩形に切り込むようにして、第２側壁１２０の長手方向に間隔をあけて２箇所に形成されている。各切欠き部１２１は、その主走査方向（ｘ方向）の長さがたとえば３ｍｍ程度、切り込み深さがたとえば２．３ｍｍ程度とされる。接着剤１２５は、たとえば、光硬化性樹脂接着剤１２５が用いられる。レンズユニット３００がレンズユニット収容部１８２に装着された状態において、切欠き部１２１にはレンズユニット３００の側面が露出するので、切欠き部１２１に接着剤１２５を塗布、もしくは付着させて硬化させることにより、この接着剤１２５は、レンズユニット３００の側面と、切欠き部１２１の内面（底面）とをつなぎ、これにより、レンズユニット３００がレンズユニット収容部１８２に収容された状態でしっかりと固定される。本実施形態において、レンズユニット３００は、共役長ＴＣが６ｍｍのセルフォックレンズアレイが用いられており、この場合、レンズユニット３００の上下寸法Ｔは３．５ｍｍ程度となる。接着剤１２５の量は、図４に示すように、切欠き部１２１の底部からの高さｄが、概ね、レンズユニット３００の上下寸法の３０％以内、すなわち、１ｍｍ程度以内としておくことが、接着剤１２５による固定後のレンズユニット３００の変形を抑制する上で好ましい。
【００５１】
また、切欠き部１２１が形成される第２側壁１２０の厚み（副走査方向の寸法）ａは、レンズユニット３００の厚み（副走査方向の寸法）ｂの１００〜１２０％の範囲に制限し、ケース１００の副走査方向（ｚ方向）の寸法の拡大を抑制している。
【００５２】
受光手段４００は、主走査方向に並べられた複数の受光部４１０を有し、たとえば、微小ピッチで並べられた所定数の受光素子を上面に有するイメージセンサチップを複数個並べて構成される。この受光手段４００は、レンズユニット３００の光軸Ｌ上に各受光部４１０が位置するように、基板６００上に搭載される。
【００５３】
基板６００は、たとえばＰＣＢ基板であり、その上面には、上記した受光手段４００のほか、受光手段４００と協働して画像データを外部に送信するための回路を構成する等のための電子部品５００が搭載される。この基板６００は、ケース１００の下部開口を塞ぐようにして、上記受光手段４００や電子部品５００が搭載された面を上にして、たとえば接着によりケース１００に装着される。
【００５４】
図４に良く表れているように、本実施形態の画像読取装置１０では、第１隔壁１４０が基板６００の上面に近接もしくは接触している。上記したように、第１隔壁１４０には、貫通孔１４２がたとえば複数箇所形成されており、基板６００上に搭載された電子部品５００は、この貫通孔１４２内に位置するようにして配置されている。貫通孔１４２の上部は、光源ユニット収容部１８１に開口するが、この貫通孔１４２は上記した反射部材２３０の水平接触外面２３２によって塞がれているため、光源ユニット２００から漏れ出た光が貫通孔１４２を介して受光手段４００にまで至ってノイズとなり、読み取り画像品質が悪化するといったことはない。
【００５５】
図１および図２に表れているように、本実施形態の画像読取装置１０では、ケース１００の第２端部壁１７０に、これを厚み方向に貫通する開口部１７１を設けることにより、光源ユニット収容部１８１が第２端部壁１７０から外部に開放しており、光源ユニット２００の長手方向の端部２２１を開口部１７１に位置させて、この端部２２１をケース１００の外部に臨ませている。本実施形態では、光源モジュール２２０を開口部１７１に位置させている。
【００５６】
次に、本実施形態に係る画像読取装置１０の作用について、説明する。
【００５７】
レンズユニット３００は、第２側壁１２０に設けた切欠き部１２１に付着もしくは塗布された接着剤１２５により、レンズユニット収容部１８２に固定されているので、第２側壁１２０の厚みを薄くしても、必要な量の接着剤１２５をレンズユニット３００の側面および切欠き部１２１の内面に接触させ、レンズユニット３００をしっかりと固定することができる。また、ケース１００の側面から接着剤１２５を切欠き部１２１に付着もしくは塗布することができるので、その作業が容易となる。さらに、第２側壁１２０の厚みを薄くすることができるので、ケース１００の副走査方向の寸法を短くし、これにより画像読取装置１０の小型化を図ることができる。
【００５８】
ケース１００の第１隔壁１４０に貫通孔１４２を設け、この貫通孔１４２の内部に基板６００上に搭載した電子部品５００を位置させるようにして、第１隔壁１４０を基板６００の上面と近接もしくは接触させているので、ケース１００の上下方向の寸法を短くし、これにより画像読取装置１０の小型化を図ることができる。また、レンズユニット２００として、共役長ＴＣが６ｍｍ程度に短縮されたセルフォックレンズアレイを用いていることも、ケース１００の上下方向の寸法を短縮することに大きく寄与する。
【００５９】
ケース１００の第２端部壁１７０に開口部１７１を設け、光源ユニット２００の長手方向端部に位置する光源モジュール２２０を上記開口部１７１に位置させて上記光源モジュール２２０の外面の一部をケース１００の外部に臨ませているので、ケース１００の主走査方向の寸法を短くし、これにより画像読取装置１０の小型化を図ることができる。また、光源モジュール２２０を上記開口部１７１に位置させており、導光部材２１０による線状出射部２１１の主走査方向長さが減じられることがないので、読み取り幅を減じることなく、画像読取装置１０の主走査方向寸法を短くすることができる。さらには、光源モジュール２２０の一部をケース１００の外面に臨ませることができるので、光源モジュール２２０への配線が容易となる。
【００６０】
さらに、ケース１００は、おおむね主走査方向に延びるガラス繊維や炭素繊維１９０を内包する強化樹脂によって形成されており、かつ、レンズユニット３００のレンズケース３０１も曲げ剛性が高められているので、画像読取装置１０全体としての特に曲げ剛性が高められ、これにより、画像読取装置１０は、小型化（特にz方向の薄型化）が達成されながらも、十分な強度（特に曲げ強度）を達成することができる。
【００６１】
上記のように、本実施形態に係る画像読取装置１０の小型化、すなわち、ケース１００の副走査方向（ｙ方向）、厚み方向（ｚ方向）の寸法を短縮することができるが、たとえば、副走査方向（ｙ方向）の寸法を８〜１０ｍｍ程度、厚み方向（ｚ方向）の寸法を５．８〜７．４ｍｍ程度という、従来のこの種の画像読取装置に対して劇的な小型化を達成することができる。主走査方向（ｘ方向）の寸法については、必要な読取幅に対応して設定すればよいが、たとえば、１２３〜１２６ｍｍ程度とすることができる。なお、上記したように、光源モジュール２２０を第２端部壁１７０の開口部１７１に位置されていることから、同じ読取幅とした場合であっても、本実施形態の画像読取装置１０のほうが、主走査方向（ｘ方向）の寸法を短縮できる。
【００６２】
もちろん、この発明の範囲は上述した実施形態に限定されず、各請求項に記載された範囲内でのあらゆる設計変更は、すべて本発明の範囲に含まれる。
【符号の説明】
【００６３】
１０      画像読取装置
１００    ケース
１１０    第１側壁
１１１    内面
１１２    ゲート痕
１２０    第２側壁
１２１    切欠き部
１２５    接着剤
１３０    中間壁
１４０    第１隔壁
１４１    底面
１４２    貫通孔
１４３    上面
１５０    第２隔壁
１５１    スリット
１６０    第１端部壁
１７０    第２端部壁
１７１    開口部
１８１    光源ユニット収容部
１８２    レンズユニット収容部
１９０    繊維
２００    光源ユニット
２１０    導光部材
２１１    出射部
２１２    平坦部
２２０    光源モジュール
２２１    端部（光源ユニットの）
２３０    反射部材
２３１    垂直接触外面
２３２    水平接触外面
３００    レンズユニット
３０１    ロッドレンズ
３０２    レンズケース
４００    受光手段
４１０    受光部
５００    電子部品
６００    基板
Ｌ        光軸
Ｄ        読み取り対象物
【図１】
2017108297.tif 000003
【図２】
2017108297.tif 000004
【図３】
2017108297.tif 000005
【図４】
2017108297.tif 000006
【図５】
2017108297.tif 000007
【図６】
2017108297.tif 000008
【図７】
2017108297.tif 000009